(57)【特許請求の範囲】
【請求項１】
円を２分割してなる２つの扇形であって、その対向面が接合されると略円盤状の導水ブロック本体を構成する１対の導水ブロック片からなり、各導水ブロック片の上面には、前記導水ブロック本体の中心から半径方向外方に向けて断面略半円状の導水溝が形成され、さらに、前記各導水ブロック片の接合面の中心に縦溝がそれぞれ設けられ、この縦溝内において、導水ブロック片の一方に係合部材が、導水ブロック片の他方に被係合部材が設けられ、この係合片と被係合片とは、前記各導水ブロック片の回動が自在で、上下方向の移動を規制可能に連結されてなるマンホールの導水装置。
【請求項２】
前記導水ブロック本体を構成したときの前記導水ブロック片の接合面の間の隙間が、中心から半径方向外方に向けて漸次拡開する隙間に形成されていることを特徴とする請求項１に記載のマンホールの導水装置。
【発明の詳細な説明】
【０００１】
【発明の属する技術分野】
本発明は、マンホールに連結される管路相互間に水路を形成するマンホールの導水装置に係り、特に、下水管等の管路が屈曲する工事箇所に好適なマンホールの導水装置に関するものである。
【０００２】
【従来の技術】
下水用等のマンホールにおいて、図１０に示すような管路１２の中途に設置されるマンホール１は、一般に図１１、図１２に示す構造となっている。
このマンホール１は、コンクリート製で、上部１ａに点検用の開口１ｃが、底部１ｂ寄りの周側壁には管路連結用の１対の連結口１ｄ，１ｅが形成されている。
【０００３】
このマンホール１に上流側パイプ２と下流側パイプ３とを連結する。
一方の連結口１ｄに上流側パイプ２を挿入し管端２ａをマンホール１内に臨ませるとともに、他方の連結口１ｅに下流側パイプ３を挿入し管端３ａを反対側からマンホール１内に臨ませる。
マンホール１の内部１ｆにモルタルコンクリートを搬入し、底部１ｂ内に円盤状のコンクリート層（インバート１０と称する）を形成する。
このインバート１０には、管路の内面の断面形状と同じ略半円状の凹溝１１を設けてあり、下水等の導水路としている。
各管端２ａ，３ａと導水路１１とは、モルタルコンクリートによって平滑になるように仕上げ、上流側パイプ２と下流側パイプ３とを導水路１１により連通させる。
これにより、上流側パイプ２から流入した汚水等がマンホール内を通過して下流側パイプ３に流れ、排水処理がなされるものである。
【０００４】
【発明が解決しようとする課題】
ところで、上記マンホール１の導水路１１は、狭いマンホール内において手作業によって形成するため、作業が困難で、忍耐を要すると共に、半円形の溝をきれいに且つ、流れを阻害しないよう平滑に仕上げるには熟練を要し、作業効率が低いという欠点があった。
【０００５】
本発明は、上記のような問題を解決するためになされたもので、下水管路の曲がり角度に合わせた適正水路をマンホール内に形成することができ、設置作業効率も格段に向上するマンホールの導水装置を提供することを目的としている。
【０００６】
【課題を解決するための手段】
上記目的を達成するため、本発明のうち請求項１に記載の発明は、円を２分割してなる２つの扇形であって、その対向面が接合されると略円盤状の導水ブロック本体を構成する１対の導水ブロック片からなり、各導水ブロック片の上面には、前記導水ブロック本体の中心から半径方向外方に向けて断面略半円状の導水溝が形成され、さらに、前記各導水ブロック片の接合面の中心に縦溝がそれぞれ設けられ、この縦溝内において、導水ブロック片の一方に係合部材が、導水ブロック片の他方に被係合部材が設けられ、この係合片と被係合片とは、前記各導水ブロック片の回動が自在で、上下方向の移動を規制可能に連結されてなることを特徴としている。
また、請求項２に記載の発明は、前記導水ブロック本体を構成したときの前記導水ブロック片の接合面の間の隙間が、中心から半径方向外方に向けて漸次拡開する隙間に形成されていることを特徴としている。
【０００７】
【発明の実施の形態】
以下、本発明の実施の形態について、図示例を参照しながら説明する。
図１は、本発明の実施の形態に係るマンホールを示す縦断面図、図２は、図１のＩＩ−ＩＩ線に沿った断面図である。
このマンホール１は、上部１ａに点検用の開口１ｃを有し、底部１ｂ寄りの周側壁１ｇには１対の連結口１ｄ，１ｅを開設した有底の略円筒形となっている。なお、図８に示すように、マンホール１は有底でない場合もある。
このマンホール１は、内部１ｆにおける底部１ｂ側に導水装置として導水ブロック本体４を収納し、図１０に示す下水管路１２に設置されて、上流側パイプ２と下流側パイプ３とが連結されるようになっている。
【０００８】
導水ブロック本体４は、１対の導水ブロック片５，６からなり、係合部材７、被係合部材８および連結具９にて連結される構成となっている。
前記両導水ブロック片５，６は、略半円形で半径がマンホール１の底部１ｂ寄り周側壁１ｇの内周よりやや小さくなるようコンクリートにより形成されている。
この両導水ブロック片５，６は、各接合面５ｂ，６ｂを向き合わせて接合すると略円盤状になり、導水ブロック本体４としてマンホール１内の底部１ｂに配置される。
これら導水ブロック片５，６は、図３に示すように、対称形でそれぞれが略扇状に形成されている。
すなわち、導水ブロック本体４を構成したときの中心Ｃ０から半径方向外方に向けての接合面５ｂ，６ｂが、中心Ｃ０から図４において下側の接合面５ｂ１，６ｂ１を接合したとき、上側の接合面５ｂ２，６ｂ２が半径方向外方に向うに従い、漸次拡開する隙間Ｇを形成する略扇形となっている。
【０００９】
なお、上記の例では、導水ブロック片５，６が対称形である場合を説明したが、両導水ブロック片５，６は、それぞれがマンホール１の開口１ｃから搬入可能であれば、これら導水ブロック片５，６のうち、一方の導水ブロック片５のみを扇形とし、他方の導水ブロック片６を半円形としてもよい。
前記のようになることで、一方の導水ブロック片を固定した後、他方の導水ブロック片を回動させることにより、導水溝の流入側に対する流出側の角度を微少調整することができる。
【００１０】
前記各導水ブロック片５，６には、導水ブロック本体４の中心Ｃ０から半径方向外方に向けて断面略半円状の導水溝５ｄ，６ｄがそれぞれ形成されている。
このように、各導水ブロック片５，６は、１８０度に近い略扇形に形成されており、両者を接合して導水ブロック本体４を構成する。このとき、中心Ｃ０を基点とした導水溝５ｄ，６ｄの内角ｄは１８０度から９０度の範囲のいずれかになるように設定されている。なお、接合面と導水溝５ｄ，６ｄとの内角を等しくなるようにしてもよいし、一方の導水溝との内角を９０度とし、他方の内角を変えることにより調整してもよい。このときは、ブロック製作上、角度調整する個数が半数ですむ。
各導水溝５ｄ，６ｄは、連結作業を容易にし、マンホール内の排水もスムーズにするため、接合面５ｂ，６ｂ寄りに球面を有する凹所１３を凹設している。
凹所１３は、深さを導水溝５ｄ，６ｄの深さと同じになるように形成している。
なお、導水溝５ｄ，６ｄの外周縁に、それぞれ径大部５ｃ，６ｃを設ける場合もある。この場合、導水ブロック本体４と上流側、下流側のパイプ２，３とを連結しており、連結に際して耐震ゴムソケットを介して連結してもよい。
【００１１】
さらに、両導水ブロック片５，６は、接合面５ｂ，６ｂの中心から各導水ブロック片５，６の底面に向けて縦溝５ｅ，６ｅがそれぞれ設けられている。
そして、この縦溝５ｅ，６ｅ内には、互いに対向する縦溝５ｅ，６ｅ側に向けて突出する係合部材７と被係合部材８とが突設されている。
係合部材７は、図５および図６に示す如く細長の金属板からなり、先端部にネジ孔７ｂを有したボス部７ａを一体形成し、後端側を導水ブロック片５に埋設固定してある。
また、被係合部材８も細長の金属板からなり、先端部に挿通孔８ａが形成されていて、後端部を導水ブロック片６に埋設固定してある。
なお、係合部材７と被係合部材８とは、各導水溝５ｄ，６ｄの延出方向に突出するが、ボス部７ａに被係合部材８の先端部を重ねたとき、挿通孔８ａからネジ孔７ｂに向けて連結具であるボルト９のネジ部を螺入可能な高さに設定されており、係合部材７と被係合部材８とは、マンホール１内において係合作業が行なえる。
これにより、各導水溝５ｄ，６ｄの高さを等しく保ちながら、各導水ブロック片５，６の微小な回動が自在で、上下方向の移動を規制可能に連結できる。
【００１２】
次に、下水等の管路に沿ってパイプとマンホールの導水路との連結作業について説明する。
まず、図１０に示した管路１２に予め設置されたマンホール１内の底部１ｂにモルタルを薄く塗布し、その上に導水ブロック片５，６を置く。
そして、導水ブロック片５の係合部材７と導水ブロック片６の被係合部材８とを重ね、挿通孔８ａからネジ孔７ｂに向けてボルト９のネジ部を螺入し、両者５，６を連結する。すると、上面の導水溝５ｄ，６ｄにより導水路４ａを備えた導水ブロック本体４が形成される。
つぎに、このマンホール１に上流側パイプ２と下流側パイプ３とを連結するのであるが、マンホール１内で下水管路１２が微小角度曲がっている場合、先に下流側パイプ３との連結調整を行っておく。
このときは、下流側パイプ３に導水ブロック片６の導水溝６ｄを合わせ、下流側パイプ３の延長線上に導水溝６ｄがくるよう、導水ブロック片６の位置合わせを行う。
【００１３】
続いて、導水ブロック片５を回動させ、上流側パイプ２の延長線上に導水溝５ｄが連続するように位置合わせする。
これにより、図１および図７に示すように、一方の連結口１ｄに挿入された上流側パイプ２の管端２ａと導水溝５ｄの端部とが接合し、他方の連結口１ｅに挿入された下流側パイプ３の管端３ａと導水溝６ｄの端部とが接合状態となる。
この接合で、導水ブロック本体４の中心Ｃ０を通る下流側パイプ３の中心線Ｃ−Ｃに対する上流側パイプ２の曲がり角度θに、導水溝５ｄと導水溝６ｄとが適正に位置決めされる。
この後、各管端２ａ，３ａと導水路４ａの流入端４ｂおよび流出端４ｃとの間隙、また、両導水ブロック片５，６間の間隙、さらに、マンホール１の内周壁と導水ブロック本体４の外周面との間隙等にモルタルコンクリートを注入して表面を仕上げ固める。
【００１４】
これにより、曲がり角度θを有した下水管路１２とマンホール１の導水路４ａとが位置ずれなく連結される。
よって、上流側パイプ２から流入した汚水等がマンホール内を通過して下流側パイプ３に流れ、滞留等の不具合なく排水処理がなされる。
【００１５】
ところで、各導水ブロック片５，６は略半円形であるのが施工上、量産上、あるいは輸送上好ましいが、必ずしも略半円形である必要はない。例えば、図９に示すように、導水ブロック片６の中心角が鈍角であり、それに対応するように導水ブロック片５が形成されても良い。この場合も、漸次拡開する隙間Ｇが形成されており、上述してきたのと同様の作業でマンホール１に設置することができる。
このように、各導水ブロック片５，６の形状や、導水溝５ｄ，６ｄが形成される位置は、現場に対応したものとすることができる。
【００１６】
【発明の効果】
以上説明したように、本発明のうち請求項１に記載の発明は、略半円形で対向面が接合されると略円盤状の導水ブロック本体を構成する１対の導水ブロック片に断面略半円状の導水溝が形成され、これら導水溝の縦溝内に突設された係合片と被係合片とにより各導水ブロック片が回動自在で、上下方向の移動を規制可能に連結されるから、下水管路の曲がり角度に合わせて導水溝に上下部の下水管を結合することにより、容易に適正水路を形成することができ、従来のようなマンホール内での熟練を要する導水溝形成作業が不要となるので、作業効率が格段に向上する効果がある。
また、請求項２に記載の発明は、導水ブロック片の接合面の間の隙間が、中心から半径方向外方に向けて漸次拡開する隙間に形成されているので、下水管路が設計図面に表われ難い微妙な曲がり角度を有していても柔軟に対応できる効果がある。
さらに、導水ブロック本体を２つのブロックに分割することによって、マンホールの開口径がφ６００の大きさであって、マンホールの底部の径がφ９００である場合でも底部の径に合わせたインバートブロックの工事が可能となった。
【図面の簡単な説明】
【図１】本発明の実施の形態に係るマンホールを示す縦断面図である。
【図２】図１のＩＩ−ＩＩ線に沿った縦断面図である。
【図３】マンホールの導水装置を示す斜視図である。
【図４】マンホールの導水装置を示す平面図である。
【図５】マンホールの導水装置を示す展開斜視図である。
【図６】マンホールの導水装置を示す縦断面図である。
【図７】マンホールの配管連結状態を示す説明図である。
【図８】本発明の実施の形態に係る別のマンホールを示す縦断面図である。
【図９】導水装置の別の例を示す概略平面図である。
【図１０】マンホールおよび下水管路の設置状態を示す説明図である。
【図１１】従来のマンホールを示す縦断面図である。
【図１２】図１１のＸ−Ｘ線に沿った断面図である。
【符号の説明】
４  導水ブロック本体
５，６  導水ブロック片
５ｂ，６ｂ  対向面
５ｅ，６ｅ  縦溝
７  係合部材
８  被係合部材
【図１】
0003577472.tif 000002
【図２】
0003577472.tif 000003
【図３】
0003577472.tif 000004
【図４】
0003577472.tif 000005
【図５】
0003577472.tif 000006
【図６】
0003577472.tif 000007
【図７】
0003577472.tif 000008
【図８】
0003577472.tif 000009
【図９】
0003577472.tif 000010
【図１０】
0003577472.tif 000011
【図１１】
0003577472.tif 000012
【図１２】
0003577472.tif 000013